(57)【特許請求の範囲】
【請求項１】
内部を前後方向へ貫通した略筒状のチップ本体と、該チップ本体内の前端側に収容されるとともに外周面前端側を該チップ本体から前方へ突出させた転写ボールと、チップ本体内における前記転写ボールよりも後方側に配置された弾発部材とを備え、チップ本体内の内向き環状突起に、その後方側から前記転写ボールの前半部側を接触させるとともに、前記転写ボールをその後方側から前記弾発部材により押圧するようにしたボールペンチップにおいて、
前記弾発部材は、前記チップ本体の中心線方向へ延びるとともにその前端部を前記転写ボールの後端側に接触させたストレート部と、該ストレート部の後方に連なる小径コイルバネ部と、該小径コイルバネ部の後方に連なるとともに小径コイルバネ部よりも外径の大きい大径コイルバネ部とを一体に有し、
チップ本体内には、前記転写ボールを回転自在に収容するボールハウスと、該ボールハウスの後方側に連通するとともに前記小径コイルバネ部の少なくとも一部を内在する小径孔と、該小径孔の後方側に連通するとともに前記大径コイルバネ部の少なくとも一部を内在する大径孔とが形成され、
前記大径孔は、前記大径コイルバネ部の外径面に摺接して該大径コイルバネ部を軸方向へ案内するように形成され、
前記大径孔よりも後方側には、前記大径コイルバネ部の外径面との間に隙間を確保するように、前記大径孔よりも内径の大きい遊挿孔が連通していることを特徴とするボールペンチップ。
【請求項２】
前記小径孔は、前記小径コイルバネ部の外径面に摺接して該小径コイルバネ部を軸方向へ案内するように形成されていることを特徴とする請求項１記載のボールペンチップ。
【請求項３】
前記弾発部材は、前記小径コイルバネ部と前記大径コイルバネ部との間に、前記大径コイルバネ部の前端から前記小径コイルバネ部の後端にかけて徐々に外径を小さくしたテーパ状コイルバネ部を有し、該テーパ状コイルバネ部を前記大径孔内に配置していることを特徴とする請求項１又は２記載のボールペンチップ。
【請求項４】
請求項１乃至３何れか１項記載のボールペンチップを具備した筆記具。
【発明の詳細な説明】
【技術分野】
【０００１】
本発明は、転写ボールをチップ本体内の弾発部材により後方側から弾発してチップ本体前端側の内向き環状突起に押し付けるようにしたボールペンチップ及び該ボールペンチップを具備した筆記具に関するものである。
【背景技術】
【０００２】
従来、この種の発明には、特許文献１に記載されるように、チップ本体（ボールホルダー１）内の内向き環状突起（先端開口部１ｂ）に、その後方側から転写ボール（ボール１０）の前半部側を接触させるとともに、該転写ボール（ボール１０）をその後方側から弾発部材のストレート部（先端ストレート部１２ａ）により押圧するようにしたものがある。
ところで、このような従来技術では、製造中などに、ストレート部が撓んで中心からずれ、該ストレート部の前端がチップ内の微小な凹凸等にひっかかって、組込不良を生じるおそれがある。
そこで、特許文献２に記載される発明では、螺旋バネ（３０）におけるストレート部（３２）の後端側に連なる小径バネ部（３４）の前端側を、チップ本体内前端側のインク孔（２４）の内周面に接触させて、ストレート部（３２）が中心からずれるのを抑制するようにしている。
【０００３】
しかしながら、後者従来技術においても、チップ本体（２０）内に螺旋バネ（３０）が組み込まれて、該螺旋バネ（３０）に荷重が加わると、該螺旋バネ（３０）における小径バネ部（３４）よりも後側の部分（バネ本体部３６）がうねるようにして撓むとともに、ストレート部（３２）の前端側が傾いてチップ内の微小な凹凸等に引っかかってしまうおそれがあり、さらなる改善の余地があった。
【先行技術文献】
【特許文献】
【０００４】
【特許文献１】特開２０１１−０２０３１７号公報
【特許文献２】特開２０１４−１６２０５１号公報
【発明の概要】
【発明が解決しようとする課題】
【０００５】
本発明は上記従来事情に鑑みてなされたものであり、その課題とする処は、弾発部材の組込不良を低減することができるボールペンチップ及び該ボールペンチップを具備した筆記具を提供することにある。
【課題を解決するための手段】
【０００６】
上記課題を解決するための一手段は、内部を前後方向へ貫通した略筒状のチップ本体と、該チップ本体内の前端側に収容されるとともに外周面前端側を該チップ本体から前方へ突出させた転写ボールと、チップ本体内における前記転写ボールよりも後方側に配置された弾発部材とを備え、チップ本体内の内向き環状突起に、その後方側から前記転写ボールの前半部側を接触させるとともに、前記転写ボールをその後方側から前記弾発部材により押圧するようにしたボールペンチップにおいて、前記弾発部材は、前記チップ本体の中心線方向へ延びるとともにその前端部を前記転写ボールの後端側に接触させたストレート部と、該ストレート部の後方に連なる小径コイルバネ部と、該小径コイルバネ部の後方に連なるとともに小径コイルバネ部よりも外径の大きい大径コイルバネ部とを一体に有し、チップ本体内には、前記転写ボールを回転自在に収容するボールハウスと、該ボールハウスの後方側に連通するとともに前記小径コイルバネ部の少なくとも一部を内在する小径孔と、該小径孔の後方側に連通するとともに前記大径コイルバネ部の少なくとも一部を内在する大径孔とが形成され、前記大径孔は、前記大径コイルバネ部の外径面に摺接して該大径コイルバネ部を軸方向へ案内するように形成され、前記大径孔よりも後方側には、前記大径コイルバネ部の外径面との間に隙間を確保するように、前記大径孔よりも内径の大きい遊挿孔が連通していることを特徴とする。
【発明の効果】
【０００７】
本発明は、以上説明したように構成されているので、弾発部材の組込不良を低減することができる。
【図面の簡単な説明】
【０００８】
【図１】本発明に係るボールペンチップの一例を示す縦断面図である。
【図２】図１における（II）−（II）線に沿う断面図である。
【図３】弾発部材の一例を示す縦断面図である。
【図４】本発明に係るボールペンチップを具備した筆記具の縦断面図である。
【発明を実施するための形態】
【０００９】
本実施の形態の第一の特徴は、内部を前後方向へ貫通した略筒状のチップ本体と、該チップ本体内の前端側に収容されるとともに外周面前端側を該チップ本体から前方へ突出させた転写ボールと、チップ本体内における前記転写ボールよりも後方側に配置された弾発部材とを備え、チップ本体内の内向き環状突起に、その後方側から前記転写ボールの前半部側を接触させるとともに、前記転写ボールをその後方側から前記弾発部材により押圧するようにしたボールペンチップにおいて、前記弾発部材は、前記チップ本体の中心線方向へ延びるとともにその前端部を前記転写ボールの後端側に接触させたストレート部と、該ストレート部の後方に連なる小径コイルバネ部と、該小径コイルバネ部の後方に連なるとともに小径コイルバネ部よりも外径の大きい大径コイルバネ部とを一体に有し、チップ本体内には、前記転写ボールを回転自在に収容するボールハウスと、該ボールハウスの後方側に連通するとともに前記小径コイルバネ部の少なくとも一部を内在する小径孔と、該小径孔の後方側に連通するとともに前記大径コイルバネ部の少なくとも一部を内在する大径孔とが形成され、前記大径孔は、前記大径コイルバネ部の外径面に摺接して該大径コイルバネ部を軸方向へ案内するように形成されていることを特徴とする。
この構成によれば、弾発部材の大径コイルバネ部がチップ本体内で撓むのを大径孔によって抑制でき、ひいては、大径コイルバネ部の撓みに起因してストレート部が傾くのを防ぐことができる。よって、弾発部材の組込不良を低減することができる。
【００１０】
第二の特徴として、インクの流動性を良好にして筆記性能を向上するために、前記大径孔よりも後方側には、前記大径コイルバネ部の外径面との間に隙間を確保するように、前記大径孔よりも内径の大きい遊挿孔が連通している。
【００１１】
第三の特徴として、ストレート部が傾くのをより効果的に抑制するために、前記小径孔は、前記小径コイルバネ部の外径面に摺接して該小径コイルバネ部を軸方向へ案内するように形成されている。
【００１２】
第四の特徴として、小径コイルバネ部が大径コイルバネ部に対し傾くのを抑制するとともに、弾発部材がチップ本体内へスムーズに挿入されるようにする等のために、前記弾発部材は、前記小径コイルバネ部と前記大径コイルバネ部との間に、前記大径コイルバネ部の前端から前記小径コイルバネ部の後端にかけて徐々に外径を小さくしたテーパ状コイルバネ部を有し、該テーパ状コイルバネ部を前記大径孔内に配置している。
【００１３】
第五の特徴としては、前記ボールペンチップを具備して筆記具を構成した。
【実施例】
【００１４】
次に、上記特徴を有する好ましい実施例を、図面に基づいて詳細に説明する。
なお、本明細書中、「前方」とは、ボールペンチップの先端方向を意味し、「後方」とは、その逆方向を意味する。また、「径外方向」とは、ボールペンチップの径方向において中心部から離れる方向を意味し、「径内方向」とは、その逆方向を意味する。
【００１５】
図１は、本発明に係るボールペンチップ１を示す。
ボールペンチップ１は、内部を前後方向へ貫通した略筒状のチップ本体１０と、該チップ本体１０内の前端側に収容されるとともに外周面前端側を該チップ本体１０から前方へ突出させた転写ボール２０と、チップ本体１０内における転写ボール２０よりも後方側に配置された弾発部材３０とを備え、チップ本体１０内の内向き環状突起１１ａに、その後方側から転写ボール２０の前半部側を接触させるとともに、転写ボール２０をその後方側から弾発部材３０により押圧するようにしている。
【００１６】
チップ本体１０は、例えばステンレス、黄銅又は洋白などの合金から、先端側に先細円錐状の部分を有する略筒状に形成される。
このチップ本体１０内には、前端部側から順に、ボールハウス１１、括れ部１２、小径孔１３、大径孔１４、先窄み孔１５、遊挿孔１６が設けられ、これらの内部空間は前後方向へ連通している。
【００１７】
ボールハウス１１は、最前端寄りの内向き環状突起１１ａと、該内向き環状突起１１ａの基端から後方へ延びる円筒状内壁面１１ｂと、括れ部１２の前端面とによって、転写ボール２０を回転自在に収容する空間を構成している。
【００１８】
内向き環状突起１１ａは、ボールハウス１１内に転写ボール２０が挿入された後に、チップ本体１０の前端部が外部からカシメられることで形成され、円筒状内壁面１１ｂの前端側から径内方向へ突出するようにして、転写ボール２０の前半部に接触する。
【００１９】
また、括れ部１２は、円筒状内壁面１１ｂよりも後側の部分を、円筒状内壁面１１ｂよりも小さい内径に縮径することで、略括れ状（もしくは径内方向へ突出する環状突起状）に形成された部分である。この括れ部１２を貫通する孔の内周面は、略円筒状の面であり、該面には、前後方向へ貫通するインク誘導溝１２ａが形成される。インク誘導溝１２ａは、周方向に間隔を置いて複数設けられ、インク流通量を適正に確保するように、その流通断面積が設定されている。
そして、括れ部１２の後方側には、小径孔１３が設けられる。
【００２０】
小径孔１３は、括れ部１２中心の貫通孔に連通するとともに該貫通孔よりも内径の大きい円筒状の孔であり、後述する弾発部材３０におけるストレート部３１及び小径コイルバネ部３２の前部側を内在するとともに、小径コイルバネ部３２の外径面に摺接して該小径コイルバネ部３２を軸方向へ案内する。
【００２１】
大径孔１４は、小径孔１３に連通するとともに、該小径孔１３よりも内径の大きい円筒状の孔である。この大径孔１４は、弾発部材３０におけるテーパ状コイルバネ部３３、及び大径コイルバネ部３４の前端側の部分を内在するとともに、大径コイルバネ部３４の前端側の外径面に摺接して該大径コイルバネ部３４を軸方向へ案内する。
この大径孔１４の前端側には、小径孔１３へ向かって内径を徐々に縮径するように、環状テーパ面１４ａが設けられる。
【００２２】
先窄み孔１５は、前方へ向かって連続的に縮径された略円錐台状の孔であり、大径孔１４と遊挿孔１６の間でこれらを連通している。この先窄み孔１５は、弾発部材３０における大径コイルバネ部３４の前端寄りの部分を収容する。
【００２３】
遊挿孔１６は、大径孔１４よりも内径の大きい円筒状に形成され、先窄み孔１５の後方に同芯状に連通している。
先窄み孔１５及び遊挿孔１６の内周面は、弾発部材３０における大径コイルバネ部３４の外径面との間に隙間を確保している。
【００２４】
また、弾発部材３０は、例えばステンレス等の硬質金属材料から略コイル状に形成されたバネであり、ストレート部３１と、小径コイルバネ部３２と、テーパ状コイルバネ部３３と、大径コイルバネ部３４と、座巻部３５とから一体に構成される。
【００２５】
ストレート部３１は、チップ本体１０の中心線に沿うように配置される直線状の部分である。このストレート部３１は、小径孔１３内の前端側から括れ部１２内にかけて挿通され、その前端部を、転写ボール２０の後半部側の面に当接させている。
【００２６】
小径コイルバネ部３２は、ストレート部３１の後側にコイルバネ状に設けられる。この小径コイルバネ部３２は、ストレート部３１からの押圧力により若干収縮するが、その収縮量が大径コイルバネ部３４の収縮量よりも小さくなるように設定される。また、この小径コイルバネ部３２において、前後の線材の隙間はインクの流通性を向上する。
この小径コイルバネ部３２の外径面は、小径孔１３の内径よりも僅かに小さい外径に形成される。
したがって、製造過程において弾発部材３０がチップ本体１０に対し後方側から挿入される際や、転写ボール２０の進退に伴って弾発部材３０が伸縮する際、小径コイルバネ部３２の外径面は、小径孔１３の内周面に摺接して前後方向へ案内される。
【００２７】
テーパ状コイルバネ部３３は、大径コイルバネ部３４の前端から小径コイルバネ部３２の後端にかけて徐々に外径を小さくしたコイル状に形成され、大径孔１４内に配置される。
このテーパ状コイルバネ部３３は、前後の環状部分を接触させた全密着状に構成され、ほとんど収縮しない。
【００２８】
大径コイルバネ部３４は、テーパ状コイルバネ部３３の後側にコイルバネ状に設けられ、前方からの押圧力により収縮し、該押圧力が除去されると復元するように構成される。この大径コイルバネ部３４の外径面は、大径孔１４の内径よりも僅かに小さく、且つ遊挿孔１６の内周面との間に隙間ｓ２を有する外径に形成される。
したがって、製造過程において弾発部材３０がチップ本体１０に対し後方側から挿入される際や、転写ボール２０の進退に伴って弾発部材３０が伸縮する際、大径コイルバネ部３４の前端側の外径面は、大径孔１４の内周面に摺接して前後方向へ案内される。
【００２９】
座巻部３５は、大径コイルバネ部３４の後側に全密着コイル状に設けられる。この座巻部３５の外径面は、遊挿孔１６の内周面に近接又は接触する。そして、座巻部３５の後端部は、チップ本体１０内のカシメ突起１７によって後方側から受けられる。
【００３０】
カシメ突起１７は、チップ本体１０の後端側を外周側からカシメることで、チップ本体１０の内周面を部分的に突出させた突起であり、周方向に間隔を置いて複数設けられる。
【００３１】
そして、上記構成のボールペンチップ１は、例えば、図４に示すように、筆記具１００の筆記部として用いられる。
筆記具１００は、ノック部１４０の押圧操作によりボールペンリフィール１２０前端のボールペンチップ１を軸筒１１０前端から突出させ、この突出状態を、クリップ１１１を軸筒中心側へ撓ませる操作により解除するようにした出没式のボールペンてある。
ボールペンリフィール１２０は、インク収容管１２１の前端にボールペンチップ１を接続し、これらの内部にインクを充填してなる。
【００３２】
次に、上記ボールペンチップ１の製造工程上の特徴および作用効果について説明する。
先ず、弾発部材３０をチップ本体１０内へ挿入する際、弾発部材３０の前端側の小径コイルバネ部３２及びストレート部３１が、組立時の振動等により撓んだり曲がったりするのを、全密着状のテーパ状コイルバネ部３３の剛性によって抑制することができる。
【００３３】
そして、弾発部材３０をチップ本体１０内へ挿入する過程においては、小径コイルバネ部３２が、小径孔１３の内壁面に摺接しながら該小径孔１３内に進入し、これに伴い、テーパ状コイルバネ部３３が、先窄み孔１５に導かれて大径孔１４に進入し、そして、大径コイルバネ部３４の前端側の部分が、テーパ状コイルバネ部３３に続いて大径孔１４内に進入するとともに大径孔１４の内壁面に摺接する。
【００３４】
したがって、例えば、弾発部材３０の前端側が多少撓む等してストレート部３１の前端部が中心部に対し位置ずれしていた場合であっても、ストレート部３１前端の前記位置ずれを、前記挿入の際に矯正し、ストレート部３１の前端を転写ボール２０の後半部の略中心に当接させることができる。
【００３５】
次に、ストレート部３１が転写ボール２０に当接した後、弾発部材３０の後端側が治具等により前方へ押圧され、弾発部材３０全体が弾性的に収縮し、この収縮状態を維持したまま、カシメ突起１７が形成される。
前記のように弾発部材３０が後方からの押圧力を受けた際、弾発部材３０全体には側面視略弓状あるいは側面視略Ｓ字状に撓もうとする力が作用するが、本実施例のボールペンチップ１によれば、このような撓みを、小径コイルバネ部３２と小径孔１３との接触、及び大径コイルバネ部３４前端側と大径孔１４との接触、テーパ状コイルバネ部３３の剛性等、これらの相乗効果によって抑制することができる。
【００３６】
よって、本実施例のボールペンチップ１によれば、ストレート部３１の前端部が転写ボール２０の後半部に当接せずに、チップ内の微小な凹凸やインク誘導溝１２ａ等にひっかかって、組込不良を生じるようなことを防ぐことができる。
【００３７】
また、本実施例のボールペンチップ１によれば、大径孔１４内周面と、テーパ状コイルバネ部３３及び小径コイルバネ部３２後端側との間に隙間ｓ１を有し、さらに、先窄み孔１５から遊挿孔１６にわたる内周面と、大径コイルバネ部３４との間に隙間ｓ２を有するが、これらの隙間ｓ１，ｓ２は、弾発部材３０の伸縮動作性を向上したり、インクの流動性を向上するとともに筆記時等にボールペンチップ１先端からチップ本体１０内に侵入した気泡を後方へ逃す通路として機能したりする。
【００３８】
なお、上記実施例によれば、特に好ましい一例として弾発部材３０にテーパ状コイルバネ部３３を設けたが、他例としては、弾発部材３０からテーパ状コイルバネ部３３を省き、小径コイルバネ部３２の後端に、直接、大径コイルバネ部３４を接続した態様とすることも可能である。
【００３９】
また、上記実施例によれば、弾発部材３０の伸縮性を良好にする好ましい一例として、遊挿孔１６内壁面と弾発部材３０との間に隙間ｓ２を設けたが、他例としては、隙間ｓ２を省いて、弾発部材３０の後部側を遊挿孔１６内壁面に摺接させる態様とすることも可能である。
【００４０】
また、上記実施例によれば、特に好ましい態様として、小径コイルバネ部３２を小径孔１３に摺接し、且つ大径コイルバネ部３４前端側を大径孔１４に摺接するようにしたが、他例としては、小径コイルバネ部３２と小径孔１３の間に気泡を逃がすための隙間を設け、大径コイルバネ部３４前端側のみを大径孔１４に摺接する態様とすることも可能である。
【００４１】
また、図示例によれば、ボールペンチップ１を具備した筆記具１００の一例として単色のボールペンを構成したが、筆記具１００の他例としては、複数色のボールペンリフィールを具備した多色筆記具や、ボールペンリフィールやシャープペンリフィール等の複数種類のリフィールを具備した多機能筆記具を構成することも可能である。
【符号の説明】
【００４２】
１：ボールペンチップ
１０：チップ本体
１２：括れ部
１３：小径孔
１４：大径孔
１５：先窄み孔
１６：遊挿孔
１１：ボールハウス
１１ａ：内向き環状突起
２０：転写ボール
３０：弾発部材
３１：ストレート部
３２：小径コイルバネ部
３３：テーパ状コイルバネ部
３４：大径コイルバネ部
【図１】
0006512631.tif 000002
【図２】
0006512631.tif 000003
【図３】
0006512631.tif 000004
【図４】
0006512631.tif 000005